(57)【特許請求の範囲】
【請求項１】
ハウジングに取り外し可能に配置された、固定ローラーツールの固定ローラーであり、ボルトヘッドとカバーの間で、ボルトに、自由に回転可能に支承されている固定ローラーであって、その際、ハウジングが固定ローラーの為の収容部、ボルトヘッドの為の収容部、およびカバーの為の収容部を有する固定ローラーにおいて、
ボルトヘッド（７）のための収容部（１０）が、円錐の部分面（１１，１４）として形成されており、および、
固定ローラー（１）の回転軸（２４）と同軸に、ストッパー部（２３）を備えるのに対し、
カバー（２０）の為の収容部（１９）が、円形シリンダーの部分面（１６，１７）として形成されていることを特徴とする固定ローラー。
【請求項２】
ハウジングに取り外し可能に配置された、固定ローラーツールの固定ローラーであり、ボルトヘッドとカバーの間で、ボルトに、自由に回転可能に支承されている固定ローラーであって、その際、ハウジングが固定ローラーの為の収容部、ボルトヘッドの為の収容部、およびカバーの為の収容部を有する固定ローラーにおいて、
ボルトヘッド（７）の為の収容部（１０）が、円形シリンダーの部分面（１６，１７）として形成されているのに対して、
カバー（２０）のための収容部（１９）が、円錐の部分面（１１，１４）として形成され、および
固定ローラー（１）の回転軸（２４）に同軸に、ストッパー部（２３）を有していることを特徴とする固定ローラー。
【請求項３】
ハウジングに取り外し可能に配置された、固定ローラーツールの固定ローラーにおいて、ボルトヘッド（７）が、シリンダースクリュー（８）によってハウジング（２）に固定されていることを特徴とする請求項１または２に記載の固定ローラー。
【請求項４】
ハウジングに取り外し可能に配置された、固定ローラーツールの固定ローラーにおいて、カバー（２０）が、シリンダースクリュー（２６）によってハウジング（２）に固定されていることを特徴とする請求項１または２に記載の固定ローラー。
【発明の詳細な説明】
【技術分野】
【０００１】
本発明は、ハウジングに取り外し可能に配置された、固定ローラーツールの固定ローラーであり、ボルトヘッドとカバーの間で、ボルトに、自由に回転可能に支承されている固定ローラーであって、その際、ハウジングが固定ローラーの為の空所、ボルトヘッドの為の空所、およびカバーの為の空所を有する固定ローラーに関する。
【背景技術】
【０００２】
特許文献１より、「例えばシャフト部材のような、シリンダー状のワークピースのバニシングのための装置」が公知である。上述の特許の発生の時においては、固定ローリングは、「バニシング」と称されていた。それ以降公知であるように、ワークピースが、スタンピングされるべき面の両側で、固定ローラーの支承部のために十分にスペース（Ａｕｓｌａｕｆ）を有するとき、装置において固定ローラーは、それぞれ両側を支承される。本発明は、この種の固定ロールの支承部を取り扱う。
【先行技術文献】
【特許文献】
【０００３】
【特許文献１】  独国特許第８４３  ８２２号明細書
【発明の概要】
【発明が解決しようとする課題】
【０００４】
本発明の課題は、固定ローラーが、大きな半径方向の力を、つまり固定ローリングの為に及ぼされるのの他に、同時に、送り方向において発生する固定ローリングの際の相当の力を受け入れる状態であるよう、固定ローラーの支承部を形成することである。同時に、固定ローラーの固定は、可能な限り簡単で、遊びが無く、かつ安価であるべきである。その上、損傷した固定ローラー、または異なるデザインを有する固定ローラーの迅速な交換が可能であるべきである。
【０００５】
解決策として、ボルトヘッドのための収容部が提案される。この収容部は、円錐の部分面として形成され、および固定ローラーの回転軸に対して同軸に一つのストッパー部を有する一方で、カバーの為の収容部は、円形シリンダー状に形成されている。
【０００６】
有利な実施形に従い、ボルトヘッドの為の収容部もまた、円形シリンダーの部分面として形成されることが可能である一方、カバーの為の収容部は円錐の面として形成され、および固定ローラーの回転軸に対して同軸に一つのストッパー部を有する。ボルトヘッドの固定の為、およびカバーの固定の為に、ハウジングには、その都度、シリンダースクリューが設けられる。これによって十分正確かつ確実な固定が達成される。固定の方式は、固定ローラーの迅速な交換可能性に対する要求もまた満足する。
【０００７】
以下に、本発明を実施例に基づき詳細に説明する。なお、図の縮尺は不揃いである。
【図面の簡単な説明】
【０００８】
【図１】ハウジング中における固定ローラーの収容部
【図２】ボルトヘッドのための収容部の一つの形態  
【図３】カバーの為の収容部の一つの形態
【図４】固定ローラーの前面図
【図５】図４の固定ローラーの側面図
【図６】図４の固定ローラーの上面図
【発明を実施するための形態】
【０００９】
固定ローラー１は、図１に従い、ハウジング２の中に自由に回転可能に支承されている。ハウジング２は、二つのハウジングカバー３および４からなり、これらハウジングカバーは、お互いの間隔５でもって互いに平行に推移している。両ハウジングカバー３および４の間の間隔５は、ハウジング２内に、固定ローラー１の収容部６のための空間を与える。図１には、（図示されていない）ボルトのボルトヘッド７を見ることができる。このボルトヘッドに、固定ローラー１が自由に回転可能に支承されている。このためボルトヘッド７は、シリンダースクリュー８を介して、カバー４のスクリュー穴９内で固定されることができる。
【００１０】
図２は、カバー４内の収容部１０の拡大された部分の斜視図を示す。この収容部はボルトヘッド７の固定の為に設けられている。まず、テーパー状の部分面１１が見て取れる。この部分面には、ボルトヘッド７のテーパー状の部分面１２が当接する。ボルトヘッド７のテーパー状の部分面１３は、ハウジングカバー４の対応するテーパー状の部分面１４に当接する。収容部１０のテーパー状の部分面１１および１４の間には、空所１５が存在し、この空所の中央にスクリュー穴９が開口している。スクリュー穴９は、ボルトヘッド７の固定の為に設けられている。図２は、ハウジングカバー４の部分であって、線Ｉ−Ｉおよび線ＩＩ−ＩＩの間に存在する部分を表している。
【００１０】
ハウジング２のハウジングカバー３の同様な部分を図３は示す。ここでは、二つのシリンダー状の部分面１６および１７が存在する。これらは、円形シリンダー状の部分を表している。シリンダー状の部分面１６および１７の間には、図２の空所１５に似た空所１８が存在している。収容部１０が、ボルトヘッド７の配置の為にハウジングカバー４内に設けられるように、収容部１９は、カバー２０（図５および６）の配置の為にハウジング３内に設けられる。ここでもまた、スクリュー穴２９が、ハウジングカバー３に、シリンダースクリュー８を固定する為に設けられている。カバー２０の円形シリンダー状の部分面２１および２２は、ハウジングカバー３のシリンダー状の部分面１６および１７に当接するに至る。
【００１０】
ハウジングカバー４は、さらに一つのストッパー部２３も有している。このストッパー部は、固定ローラー１の回転軸２４を中心として同軸に延在している。組み立てられた状態で、ボルトヘッド７のストッパー面２５は、ハウジングカバー４のストッパー部２３に当接する。
【００１０】
カバー２０のハウジング３への固定の為に、シリンダースクリュー２６が設けられている。示される固定ローラー１の断面２７の形状は、一つの特別な適用ケースによって予め定められており、この適用ケースは、本発明との関係において重要でない。断面形状２７にかえて、固定ローラー１は、あらゆる他の断面形状を有することが可能であり、特に円環面（Ｔｏｒｕｓ）の形状が可能である。本発明の場合、固定ローラー１の好ましい送り方向は、矢印２８によって示されている。
【符号の説明】
【００１４】
１     固定ローラー
２     ハウジング
３     ハウジングカバー
４     ハウジングカバー
５     間隔
６     収容部
７     ボルトヘッド
８     シリンダースクリュー
９     ねじ穴
１０   収容部
１１   テーパー状の部分面
１２          テーパー状の部分面
１３   テーパー状の部分面
１４   テーパー状の部分面
１５   空所
１６   シリンダー状の部分面
１７   シリンダー状の部分面
１８   空所
１９   収容部
２０   カバー
２１   円形シリンダー状の部分面
２２   円形シリンダー状の部分面
２３   ストッパー部
２４   回転軸
２５   ストッパー面
２６   シリンダースクリュー
２７   断面形状
２８   送り
２９   スクリュー穴
【図１】
0005636035.tif 000002
【図２】
0005636035.tif 000003
【図３】
0005636035.tif 000004
【図４．６】
0005636035.tif 000005
【図５】
0005636035.tif 000006